(57)【要約】【課題】録画済みの区間の長さ、位置を、コンテンツ全体を基準としてユーザが視覚的に把握することができるようにする。【解決手段】録画が行われた番組の再生中にユーザにより指示されることに応じて、全体の長さによって番組の尺を表すプログレスバーが番組の映像に重ねて表示される。プログレスバーの左端の上と右端の上には、それぞれ、番組の放送開始時刻を表す「１０：００」と放送終了時刻を表す「１１：００」が表示される。プログレスバー全体のうち、録画が行われた区間である１０時１５分から１０時４５分の時間帯に対応する区間は、録画が行われていない区間である、１０時から１０時１５分の時間帯に対応する区間、１０時４５分から１１時の時間帯に対応する区間と異なる色で表示される。本発明は、コンテンツの記録、再生を行う装置に適用することができる。【選択図】図３
2008067207.tif 000002
【特許請求の範囲】
【請求項１】
対象とするコンテンツ全体の再生にかかる時間を取得する取得手段と、
前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させる表示制御手段と
を備える記録再生装置。
【請求項２】
前記取得手段は、コンテンツの放送開始時刻から放送終了時刻までの時間を、対象とする前記コンテンツ全体を再生したときにかかる時間としてEPGから取得する
請求項１に記載の記録再生装置。
【請求項３】
前記バーの長さが固定の長さである
請求項１に記載の記録再生装置。
【請求項４】
対象とするコンテンツ全体の再生にかかる時間を取得し、
取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させる
ステップを含む表示制御方法。
【請求項５】
対象とするコンテンツ全体の再生にかかる時間を取得し、
取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させる
ステップを含む処理をコンピュータに実行させるプログラム。
【発明の詳細な説明】
【技術分野】
【０００１】
本発明は、記録再生装置、表示制御方法、およびプログラムに関し、特に、録画済みの区間の長さ、位置を、コンテンツ全体を基準としてユーザが視覚的に把握することができるようにした記録再生装置、表示制御方法、およびプログラムに関する。
【背景技術】
【０００２】
従来、テレビジョン番組などのコンテンツの録画機能を有する機器の中には、録画済みのコンテンツの再生時に、ユーザが現在の再生位置を容易に把握することができるようにするためのGUI(Graphical User Interface)としてプログレスバーが表示されるようになされているものがある。
【０００３】
プログレスバーは、録画済みのコンテンツの視聴中にリモートコントローラを操作するなどして表示をオンにすることをユーザが指示したとき、コンテンツの映像に重ねて、画面の隅などの所定の位置に表示される。
【０００４】
図１は、従来のプログレスバーの表示例を示す図である。
【０００５】
図１に示されるように、プログレスバーは所定の長さの帯状の表示からなり、その長さ全体により、録画が行われた番組の区間全体が表される。図１の例においては、録画の開始時刻は１０時１５分であり、録画の終了時刻は１０時４５分とされている。プログレスバーの左端の上と右端の上には、それぞれ、その時刻を表す「１０：１５」、「１０：４５」が表示されている。
【０００６】
例えば、１０時から１１時まで放送される番組の視聴中、ユーザが１０時１５分のタイミングで録画を開始させ、１０時４５分のタイミングで録画を終了させた録画済みの番組の再生時に、このようなプログレスバーが表示される。
【０００７】
また、現在の再生位置に対応するプログレスバーの位置にはポインタＰが表示され、これにより、ユーザが、ある番組の録画済みの区間全体を基準として、現在の再生位置を確認することができるようになされている。図１のポインタＰの位置から、ユーザは、１０時１５分から１０時４５分までの録画済みの区間全体のうち、その真ん中の時刻より前の１０時２０分頃に放送されていた位置が再生されていることを確認することができる。
【０００８】
特許文献１には、表示中の映像の録画が行われた時刻を、現在時刻を基準としてアイコンなどを用いて表示する技術が記載されている。
【特許文献１】特開平１０−３０４３１３号公報
【発明の開示】
【発明が解決しようとする課題】
【０００９】
図１に示されるようなプログレスバーの表示によっては、プログレスバー全体によって録画済みの区間が表されることから、番組全体のうち、どの辺りの時間帯の部分が録画されているのかをプログレスバーの表示だけからでは把握することができない。
【００１０】
例えば１０時から１１時までの時間帯に放送されていたものであることを覚えていれば、番組の真ん中付近を録画したものであることを図１のプログレスバーの表示からでもユーザは把握することができるものの、放送時間帯を覚えていない場合には、そのような、番組の真ん中付近を録画したものであるといったことを、図１のプログレスバーの表示からは把握することができない。
【００１１】
本発明はこのような状況に鑑みてなされたものであり、録画済みの区間の長さ、位置を、コンテンツ全体を基準としてユーザが視覚的に把握することができるようにするものである。
【課題を解決するための手段】
【００１２】
本発明の一側面の記録再生装置は、対象とするコンテンツ全体の再生にかかる時間を取得する取得手段と、前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させる表示制御手段とを備える。
【００１３】
前記取得手段には、コンテンツの放送開始時刻から放送終了時刻までの時間を、対象とする前記コンテンツ全体を再生したときにかかる時間としてEPGから取得させることができる。
【００１４】
前記バーの長さが固定の長さであるようにすることができる。
【００１５】
本発明の一側面の表示制御方法またはプログラムは、対象とするコンテンツ全体の再生にかかる時間を取得し、取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させるステップを含む。
【００１６】
本発明の一側面においては、対象とするコンテンツ全体の再生にかかる時間が取得され、取得された時間を表すバーが表示されるとともに、表示された前記バーのうち、前記コンテンツの録画を開始した時刻に対応する位置から、録画を行っている時刻に対応する位置または録画を終了した時刻に対応する位置までの区間が、録画を行っていない区間の色と異なる色で表示される。
【発明の効果】
【００１７】
本発明の一側面によれば、ユーザは、録画済みの区間の長さ、位置を、コンテンツ全体を基準として視覚的に把握することができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１９】
本発明の一側面の記録再生装置（例えば、図２の記録再生装置１）は、対象とするコンテンツ全体の再生にかかる時間を取得する取得手段（例えば、図５の番組尺取得部３１）と、前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させる表示制御手段（例えば、図５の表示制御部３２）とを備える。
【００２０】
本発明の一側面の表示制御方法またはプログラムは、対象とするコンテンツ全体の再生にかかる時間を取得し、取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間の色と異なる色で表示させるステップ（例えば、図６のステップＳ４）を含む。
【００２１】
以下、本発明の実施の形態について図を参照して説明する。
【００２２】
図２は、本発明の一実施形態に係る記録再生装置１を示す図である。
【００２３】
記録再生装置１は、BS(Broadcasting Satellite)／CS(Communications Satellite)デジタルテレビジョン放送、地上波デジタルテレビジョン放送、またはインターネットを介した放送によって提供される番組を受信し、受信した番組の映像や音声をTV（テレビジョン受像機）２から出力させる。すなわち、記録再生装置１には、図示せぬアンテナからの信号などが供給されるようになされている。
【００２４】
また、記録再生装置１には、ハードディスクなどの記録媒体が内蔵されており、そこに番組のデータを記録（録画）することができるようになされている。放送中の番組をユーザによる指示に応じて録画する機能の他に、放送中の番組の録画を行いつつ、録画済みのデータを再生することによって、放送されている位置から遅れた番組の位置をユーザが視聴することができるようにする、いわゆる追いかけ再生機能なども記録再生装置１には搭載されている。追いかけ再生などのユーザによる各種の操作は、例えばリモートコントローラを用いて行われる。
【００２５】
録画が行われた番組を視聴しているとき、ユーザは、その番組の尺を１００％の長さで表すプログレスバーを表示させることによって、番組全体を基準として、録画済みの区間の長さ、位置などを確認することができる。プログレスバーは、例えばユーザがその表示をオンにすることを指示したとき、番組の映像に重ねて、図２に示されるようにTV２の画面の左隅などの所定の位置に表示される。
【００２６】
図３は、TV２に表示されるプログレスバーの例を示す図である。
【００２７】
例えば、１０時に放送が開始され、１１時に放送が終了される１時間番組のうち、１０時１５分から１０時４５分の時間帯だけ録画が行われた場合、図３に示されるようなプログレスバーが表示される。
【００２８】
図３の例においては、所定の長さの帯状の表示がプログレスバーとして表示され、その全体の長さによって番組の尺である１時間が表されている。プログレスバーの左端の上と右端の上には、それぞれ、番組の放送開始時刻を表す「１０：００」と放送終了時刻を表す「１１：００」が表示されている。この放送開始時刻と放送終了時刻は、例えば番組の録画時にEPG(Electronic Program Guide)から取得されたものである。EPGには、番組のタイトル、放送チャンネル、番組の概要などの情報の他に、放送開始時刻、放送終了時刻の情報も含まれている。
【００２９】
また、図３の例においては、プログレスバー全体のうち、録画が行われた区間である１０時１５分から１０時４５分の時間帯に対応する区間は、録画が行われていない区間である、１０時から１０時１５分の時間帯に対応する区間、１０時４５分から１１時の時間帯に対応する区間と異なる色で表示されている。図３において、無地と斜線は、例えば白色と灰色といったように、それぞれ異なる色で表示されていることを表す。また、時刻ｔ１は、録画が開始された時刻である１０時１５分に対応する位置を表し、時刻ｔ２は、録画が終了された時刻である１０時４５分に対応する位置を表す。時刻ｔ１，ｔ２の表示、区間を示す矢印などはプログレスバーの周りに実際に表示されるものではなく、説明の便宜上付しているものである。
【００３０】
図３のプログレスバー上に表示されているポインタＰは、再生中の番組の位置を表す。番組の再生が進むにつれ、ポインタＰの位置は右方に移動していくことになる。
【００３１】
このようなプログレスバーが表示されることによって、ユーザは、１０時から１１時までの間に放送された番組全体を基準として、録画済みの区間の長さ、位置などを確認することができる。図３に示されるようなプログレスバーの表示から、番組の真ん中辺りの区間を、全体の放送時間のうちの半分程度の時間だけ録画したことをユーザは確認することができる。
【００３２】
また、ポインタＰの表示から、ユーザは、番組の視聴中、番組全体を基準とした現在の再生位置を確認することができる。全体によって録画済みの区間の尺が表される図１に示されるようなプログレスバーによっては、番組全体のうちのどの辺が再生されているのかを確認することは困難であるが、図３に示されるようなプログレスバーの表示によれば、ユーザは、番組の真ん中から若干前の位置が再生されていることを容易に確認することができる。
【００３３】
プログレスバーを表示させる記録再生装置１の処理についてはフローチャートを参照して後述する。
【００３４】
図４は、記録再生装置１のハードウェア構成例を示すブロック図である。
【００３５】
CPU(Central Processing Unit)１１は、フラッシュメモリ１３に記憶されたプログラムや、ハードディスク１４からRAM(Random Access Memory)１２にロードされたプログラムを実行し、バス１５を介して接続される各部の動作を制御する。
【００３６】
RAM１２は、CPU１１によって実行されるプログラムや、プログラムの実行に必要な一時的なデータなどを記憶する。
【００３７】
フラッシュメモリ１３は、例えばNOR型のフラッシュメモリであり、RAM１２にロードされることなくCPU１１により直接読み出され、実行されるプログラムコードや、ユーザにより設定された録画予約の内容を表すファイルを記憶する。
【００３８】
ハードディスク１４は、TSデコーダ１８からバス１５を介して供給された、録画の対象になっている番組のデータやEPGを記録する。番組のデータは、その番組のタイトル、放送チャンネル、放送開始時刻、放送終了時刻などのEPGに含まれる情報や、録画開始時刻、録画終了時刻などの情報が対応付けてられて記録される。
【００３９】
チューナ１６は、CPU１１による制御に従って、アンテナからの放送信号を受信し、受信信号を復調器１７に出力する。
【００４０】
復調器１７は、チューナ１６から供給された受信信号を復調し、所定のチャンネルで放送されるトランスポートストリームをTSデコーダ１８に出力する。
【００４１】
TSデコーダ１８は、CPU１１による制御に従って、復調器１７から供給されたトランスポートストリームから所定のストリームを抽出し、抽出したストリームを構成するパケットをバス１５上に、または、AV(Audio Visual)デコーダ１９に出力する。バス１５上に出力されたパケット（番組のデータ）はハードディスク１４に供給され、記録される。TSデコーダ１８により得られたEPGも、適宜、ハードディスク１４に供給され、記録される。
【００４２】
AVデコーダ１９は、TSデコーダ１８から供給されたビデオパケットとオーディオパケットをデコードし、デコードして得られたオーディオデータをMUX(multiplexer)２０に、ビデオデータをMUX２１にそれぞれ出力する。また、AVデコーダ１９は、録画済みの番組のデータがハードディスク１４から読み出され、供給されたとき、それをデコードし、デコードして得られたオーディオデータをMUX２０に、ビデオデータをMUX２１にそれぞれ出力する。再生の対象とする録画済みの番組の選択は、例えば、TV２に表示される、録画済みの番組のリストなどを用いて行われる。
【００４３】
MUX２０は、AVデコーダ１９から供給されたオーディオデータとCPU１１から供給されたデータに基づいて、対応する音声をTV２のスピーカから出力させる。
【００４４】
MUX２１は、AVデコーダ１９から供給されたビデオデータと表示コントローラ２２から供給されたビデオデータに基づいて、番組の映像などをTV２に表示させる。表示コントローラ２２からは、例えば、プログレスバーの表示に用いられるデータや、録画済みの番組のリストの表示に用いられるデータが供給される。
【００４５】
表示コントローラ２２は、CPU１１による制御に従って、TV２に表示させるプログレスバーのデータを生成し、生成したデータをMUX２１に出力する。また、表示コントローラ２２は、録画済みの番組のリストのデータを生成し、生成したデータをMUX２１に出力する。録画済みの番組のリストのデータは、例えば、番組のデータに対応付けてハードディスク１４に記録されている番組の情報に基づいて生成される。
【００４６】
図５は、記録再生装置１の機能構成例を示すブロック図である。図５に示す機能部のうちの少なくとも一部は、図４のCPU１１により所定のプログラムが実行されることによって実現される。
【００４７】
図５に示されるように、記録再生装置１においては、番組尺取得部３１と表示制御部３２が実現される。
【００４８】
番組尺取得部３１は、プログレスバーの表示がユーザにより指示されたとき、ハードディスク１４に記録されているEPGから、再生の対象になっている番組の情報を取得する。
【００４９】
例えば、放送中の番組が再生の対象になっている場合、番組尺取得部３１は、放送中の番組の放送開始時刻、放送終了時刻の情報を取得し、放送開始時刻から放送終了時刻までの時間を番組の尺として取得する。取得された番組の尺は、１つの番組の放送時間、すなわち、１つの番組全体の再生にかかる時間を表す。番組尺取得部３１は、取得した尺を表す情報を、放送開始時刻、放送終了時刻の情報とともに表示制御部３２に出力する。
【００５０】
また、録画済みの番組が再生の対象になっている場合、番組尺取得部３１は、番組のデータに対応付けてハードディスク１４に記録されている番組の情報のうちの放送開始時刻、放送終了時刻、録画開始時刻、録画終了時刻の情報を取得し、放送開始時刻から放送終了時刻までの時間を番組の尺として取得する。番組尺取得部３１は、取得した尺を表す情報を、ハードディスク１４から取得したそれらの時刻の情報とともに表示制御部３２に出力する。
【００５１】
表示制御部３２は、番組尺取得部３１から供給された情報に基づいて表示コントローラ２２を制御し、プログレスバーをTV２に表示させ、現在の再生位置にポインタを表示させる。
【００５２】
例えば、放送中の番組の尺を表す情報と、放送開始時刻、放送終了時刻の情報が番組尺取得部３１から供給された場合、表示制御部３２は、放送開始時刻、放送終了時刻が左右の端の上に表示され、番組の尺を全体の長さで表すプログレスバーを表示させる。プログレスバーの長さは、番組の尺が１時間であっても２時間であっても、番組の尺にかかわらず固定とされる。
【００５３】
また、表示制御部３２は、放送中の番組の尺を全体の長さで表すプログレスバーをTV２に表示させている状態で録画を開始することがユーザにより指示された場合、録画が開始された時刻に対応する位置から、録画が行われている時刻（放送中の時刻）に対応する位置までのプログレスバーの区間を、録画が開始される前の、録画が行われていない区間の色と異なる、例えば赤色で表示させる。番組の放送が進み、録画が進むにつれ、録画中であることを表す赤色の区間は、開始位置を固定としてプログレスバー上で右方に伸びていくことになる。録画が行われていない区間は上述したように例えば白色で表示される。
【００５４】
録画の終了が指示されたとき、表示制御部３２は、録画が開始された時刻に対応する位置から録画が終了された時刻に対応する位置までのプログレスバーの区間を、録画済みの区間であることを表す例えば灰色で表示させる。ユーザは、リモートコントローラを操作するなどして、灰色によって表される録画済みの区間内の所定の位置から再生を開始させることができる。
【００５５】
一方、録画済みの番組の尺を表す情報と、放送開始時刻、放送終了時刻、録画開始時刻、録画終了時刻の情報が番組尺取得部３１から供給された場合、表示制御部３２は、放送開始時刻、放送終了時刻が左右の端の上に表示され、番組の尺を全体の長さで表すプログレスバーを表示させる。ここで表示されるプログレスバーのうち、録画開始時刻に対応する位置から録画終了時刻に対応する位置までの区間である録画済みの区間は灰色で表示され、録画が行われていない区間は白色で表示される。
【００５６】
次に、図６のフローチャートを参照して、プログレスバーの表示を制御する記録再生装置１の処理について説明する。ここでは、放送されている番組の視聴中にユーザが録画の開始を指示した場合の処理について説明する。
【００５７】
視聴する番組として所定の番組が選択されたとき、TSデコーダ１８により抽出されたストリームを構成するパケットがAVデコーダ１９に供給され、AVデコーダ１９によりデコードされることによって得られたデータに基づいて、MUX２１により番組の映像がTV２に表示される。また、番組の音声もMUX２０によりTV２から出力される。
【００５８】
プログレスバーを表示することがユーザにより指示されたとき、ステップＳ１において、番組尺取得部３１は、放送中の番組の放送開始時刻、放送終了時刻の情報をハードディスク１４に記録されているEPGから取得し、放送開始時刻から放送終了時刻までの時間を番組の尺として取得する。番組尺取得部３１は、取得した尺を表す情報を、放送開始時刻、放送終了時刻の情報とともに表示制御部３２に出力する。
【００５９】
ステップＳ２において、表示制御部３２は、番組尺取得部３１から供給された情報に基づいて表示コントローラ２２を制御し、放送開始時刻、放送終了時刻が左右の端の上に表示され、番組の尺を全体の長さで表すプログレスバーを、TV２の所定の位置に番組の映像に重ねて表示させる。また、表示制御部３２は、現在の再生位置にポインタを表示させる。
【００６０】
図７は、放送中の番組が再生され、かつ録画が行われていない、通常視聴中のプログレスバーの表示例を示す図である。
【００６１】
例えば、１０時に放送が開始され、１１時に放送が終了される１時間番組の視聴中にプログレスバーの表示が指示されたとき、図７に示されるようなプログレスバーが表示される。録画がまだ行われていないから、図７の例においては、プログレスバー全体が、録画が行われていない区間であることを表す白色で表示されている。また、図７の例においては、１時間番組の真ん中付近が再生中（放送中）であることがポインタＰにより表されている。
【００６２】
図６の説明に戻り、ステップＳ３において、表示制御部３２は、録画を開始することがユーザにより指示されたか否かを判定し、指示されたと判定するまでステップＳ２の処理を繰り返す。番組の放送が進むにつれ、ポインタＰの位置はプログレスバー上で右方に移動していくことになる。
【００６３】
一方、ステップＳ３において、録画を開始することがユーザにより指示されたと判定した場合、表示制御部３２は、ステップＳ４に進み、録画を開始した時刻に対応する位置からポインタＰまでのプログレスバーの区間を赤色で表示する。
【００６４】
図８は、録画中のプログレスバーの表示例を示す図である。
【００６５】
例えば、図７のポインタＰによって表される番組の位置が再生されているタイミングで録画を開始することがユーザにより指示されたとき、プログレスバー全体のうち、図８に示されるように、時刻ｔ１１で表される、録画が開始された時刻に対応する位置から、ポインタＰまでの区間が赤色で表示される。図８において、点が付されていることは、その区間が赤色で表示されていることを表す。なお、図８のプログレスバーの表示は、録画が開始されてから所定の時間が経過した後の表示を示している。
【００６６】
図６の説明に戻り、ステップＳ５において、表示制御部３２は、録画済みの区間内の所定の位置から再生を開始することがユーザにより指示されたか否かを判定し、指示されたと判定するまでステップＳ４の処理を繰り返す。番組の放送が進み、録画が進むにつれ、ポインタＰの位置はプログレスバー上で右方に移動し、赤色の区間が右方に伸びていくことになる。
【００６７】
一方、ステップＳ５において、表示制御部３２は、録画済みの区間内の所定の位置から再生を開始することがユーザにより指示されたと判定した場合、ステップＳ６に進む。録画済みの区間の再生の形態としては、それまで行われていた録画を停止してからの再生と、録画を行いつつの再生（追いかけ再生）との２つの形態がある。再生が指示された位置以降の録画済みの区間の番組のデータはハードディスク１４から順次読み出され、AVデコーダ１９などにより再生される。
【００６８】
ステップＳ６において、表示制御部３２は、プログレスバーのうちの録画済みの区間を灰色などの所定の色で表示し、再生が行われている位置に対応するプログレスバーの位置にポインタＰを表示させる。再生が進むにつれ、ポインタＰの位置は右方に移動していくことになる。プログレスバーの表示をオフにすることが指示されたとき、処理は終了される。
【００６９】
図９は、録画済みの区間の再生中のプログレスバーの表示例を示す図である。
【００７０】
例えば、図８のプログレスバーが表示されているときに行われていた録画が進み、番組の放送が終了される１１時に近い時刻で録画済みの区間を先頭から再生することが指示された場合、TV２には、録画済みの番組の映像が表示されるとともに、番組の映像に重ねて、図９に示されるようなプログレスバーが表示される。
【００７１】
図９の例においては、時刻ｔ１１で表される、録画が開始された時刻に対応する位置から、時刻ｔ１２で表される、録画が終了された時刻に対応する位置までの区間は灰色で表示され、再生中の位置がポインタＰによって表されている。ユーザは、この灰色で表示される区間内であれば、好みの位置から再生を開始させることができる。図９のプログレスバーの表示は、録画済みの区間の再生が開始されてから所定の時間が経過した後の表示を示している。
【００７２】
いま行われている録画済みの区間の再生が追いかけ再生である場合、番組の放送が進み、録画が進むにつれ、灰色で表示される区間の右端は図９の点線矢印で示されるように右方に移動していくことになる。
【００７３】
このように、記録再生装置１においては、プログレスバー全体によって１つの番組の尺が表され、その中で、録画済みの区間や録画中の区間が、録画が行われていない区間と異なる色で表示されるから、ユーザは、録画済みの区間の長さ、位置を、番組全体を基準として視覚的に把握することができる。
【００７４】
以上においては、録画が行われていない区間は白色、録画済みの区間は灰色、録画中の区間は赤色で表示されるものとしたが、表示される色はこれに限定されるものではない。
【００７５】
また、以上のようにして表示されるプログレスバーの近傍に、通常視聴時には「LIVE」の文字が表示され、録画時には録画中であることを表すマークが表示されるようにしてもよい。同様に、録画済みの区間の再生時には、再生中であることを表すマークが表示されるようにしてもよい。
【００７６】
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００７７】
図１０は、上述した一連の処理をプログラムにより実行するパーソナルコンピュータの構成の例を示すブロック図である。
【００７８】
CPU５１は、ROM５２、または記憶部５８に記憶されているプログラムに従って各種の処理を実行する。RAM５３には、CPU５１が実行するプログラムやデータなどが適宜記憶される。これらのCPU５１、ROM５２、およびRAM５３は、バス５４により相互に接続されている。
【００７９】
CPU５１にはまた、バス５４を介して入出力インタフェース５５が接続されている。入出力インタフェース５５には、キーボード、マウス、マイクロホンなどよりなる入力部５６、ディスプレイ、スピーカなどよりなる出力部５７が接続されている。CPU５１は、入力部５６から入力される指令に対応して各種の処理を実行する。そして、CPU５１は、処理の結果を出力部５７に出力する。
【００８０】
入出力インタフェース５５に接続されている記憶部５８は、例えばハードディスクからなり、CPU５１が実行するプログラムや各種のデータを記憶する。通信部５９は、インターネットやローカルエリアネットワークなどのネットワークを介して外部の装置と通信する。
【００８１】
入出力インタフェース５５に接続されているドライブ６０は、磁気ディスク、光ディスク、光磁気ディスク、或いは半導体メモリなどのリムーバブルメディア６１が装着されたとき、それらを駆動し、そこに記録されているプログラムやデータなどを取得する。取得されたプログラムやデータは、必要に応じて記憶部５８に転送され、記憶される。
【００８２】
コンピュータにインストールされ、コンピュータによって実行可能な状態とされるプログラムを格納するプログラム記録媒体は、図１０に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア６１、または、プログラムが一時的もしくは永続的に格納されるROM５２や、記憶部５８を構成するハードディスクなどにより構成される。プログラム記録媒体へのプログラムの格納は、必要に応じてルータ、モデムなどのインタフェースである通信部５９を介して、ローカルエリアネットワーク、インターネット、デジタル衛星放送といった、有線または無線の通信媒体を利用して行われる。
【００８３】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【００８４】
なお、本発明の実施の形態は、上述した実施の形態に限定されるものではなく、本発明の要旨を逸脱しない範囲において種々の変更が可能である。
【図面の簡単な説明】
【００８５】
【図１】従来のプログレスバーの表示例を示す図である。
【図２】本発明の一実施形態に係る記録再生装置を示す図である。
【図３】プログレスバーの表示例を示す図である。
【図４】記録再生装置のハードウェア構成例を示すブロック図である。
【図５】記録再生装置の機能構成例を示すブロック図である。
【図６】記録再生装置のプログレスバー表示処理について説明するフローチャートである。
【図７】通常視聴中のプログレスバーの表示例を示す図である。
【図８】録画中のプログレスバーの表示例を示す図である。
【図９】録画済みの区間の再生中のプログレスバーの表示例を示す図である。
【図１０】パーソナルコンピュータの構成例を示すブロック図である。
【符号の説明】
【００８６】
１  記録再生装置，  ２  TV，  １１  CPU，  １２  RAM，  １３  フラッシュメモリ，  １４  ハードディスク，  １５  バス，  １６  チューナ，  １７  復調器，  １８  TSデコーダ，  １９  AVデコーダ，  ２０，２１  MUX，  ２２  表示コントローラ，  ３１  番組尺取得部，  ３２  表示制御部
【図１】
2008067207.tif 000003
【図２】
2008067207.tif 000004
【図３】
2008067207.tif 000005
【図４】
2008067207.tif 000006
【図５】
2008067207.tif 000007
【図６】
2008067207.tif 000008
【図７】
2008067207.tif 000009
【図８】
2008067207.tif 000010
【図９】
2008067207.tif 000011
【図１０】
2008067207.tif 000012
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
対象とするコンテンツ全体の再生にかかる時間を取得する取得手段と、
前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させる表示制御手段と
を備える記録再生装置。
【請求項２】
前記表示制御手段は、前記コンテンツの録画を開始した時刻に対応する位置から、録画を行っている時刻に対応する位置または録画を終了した時刻に対応する位置までの区間を、録画を行っていない区間の色と異なる色で表示させる
請求項１に記載の記録再生装置。
【請求項３】
前記取得手段は、コンテンツの放送開始時刻から放送終了時刻までの時間を、対象とする前記コンテンツ全体を再生したときにかかる時間としてEPGから取得する
請求項１に記載の記録再生装置。
【請求項４】
前記バーの長さが固定の長さである
請求項１に記載の記録再生装置。
【請求項５】
前記表示制御手段は、前記バー上の現在の再生位置にポインタを表示させる
請求項１に記載の記録再生装置。
【請求項６】
対象とするコンテンツ全体の再生にかかる時間を取得し、
取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させる
ステップを含む表示制御方法。
【請求項７】
対象とするコンテンツ全体の再生にかかる時間を取得し、
取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させる
ステップを含む処理をコンピュータに実行させるプログラム。
【手続補正２】
【補正対象書類名】明細書
【補正対象項目名】００１２
【補正方法】変更
【補正の内容】
【００１２】
本発明の一側面の記録再生装置は、対象とするコンテンツ全体の再生にかかる時間を取得する取得手段と、前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させる表示制御手段とを備える。
【手続補正３】
【補正対象書類名】明細書
【補正対象項目名】００１３
【補正方法】変更
【補正の内容】
【００１３】
前記取得手段には、コンテンツの放送開始時刻から放送終了時刻までの時間を、対象とする前記コンテンツ全体を再生したときにかかる時間としてEPGから取得させることができる。
前記表示制御手段には、前記コンテンツの録画を開始した時刻に対応する位置から、録画を行っている時刻に対応する位置または録画を終了した時刻に対応する位置までの区間を、録画を行っていない区間の色と異なる色で表示させることができる。
【手続補正４】
【補正対象書類名】明細書
【補正対象項目名】００１４
【補正方法】変更
【補正の内容】
【００１４】
前記バーの長さが固定の長さであるようにすることができる。
前記表示制御手段には、前記バー上の現在の再生位置にポインタを表示させることができる。
【手続補正５】
【補正対象書類名】明細書
【補正対象項目名】００１５
【補正方法】変更
【補正の内容】
【００１５】
本発明の一側面の表示制御方法またはプログラムは、対象とするコンテンツ全体の再生にかかる時間を取得し、取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させるステップを含む。
【手続補正６】
【補正対象書類名】明細書
【補正対象項目名】００１６
【補正方法】変更
【補正の内容】
【００１６】
本発明の一側面においては、対象とするコンテンツ全体の再生にかかる時間が取得され、取得された時間を表すバーが表示されるとともに、表示された前記バーのうち、前記コンテンツの録画を開始した時刻に対応する位置から、録画を行っている時刻に対応する位置または録画を終了した時刻に対応する位置までの区間が、録画を行っていない区間と異なって表示される。
【手続補正７】
【補正対象書類名】明細書
【補正対象項目名】００１９
【補正方法】変更
【補正の内容】
【００１９】
本発明の一側面の記録再生装置（例えば、図２の記録再生装置１）は、対象とするコンテンツ全体の再生にかかる時間を取得する取得手段（例えば、図５の番組尺取得部３１）と、前記取得手段により取得された時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させる表示制御手段（例えば、図５の表示制御部３２）とを備える。
【手続補正８】
【補正対象書類名】明細書
【補正対象項目名】００２０
【補正方法】変更
【補正の内容】
【００２０】
本発明の一側面の表示制御方法またはプログラムは、対象とするコンテンツ全体の再生にかかる時間を取得し、取得した時間を表すバーを表示させるとともに、表示させた前記バーのうち、前記コンテンツの録画を開始した時刻に対応する位置から、録画を行っている時刻に対応する位置または録画を終了した時刻に対応する位置までの区間を、録画を行っていない区間と異ならせて表示させるステップ（例えば、図６のステップＳ４）を含む。